(57)【特許請求の範囲】
【請求項１】
移動局を位置推定する方法であって、
前記移動局のホームネットワークプロバイダ以外の１つ以上のネットワークプロバイダに属しかつ１つ以上の識別可能な基地局との通信を現在実行できる１つ以上の無線チャネルを、ログ記録手段によりログ記録することと、
なお、このログ記録することは、
前記移動局の直前に選択されていない無線モードを選択手段により選択することと、そして
前記１つ以上の識別可能な基地局との通信を実行できる１つ以上の直前に選択されていない無線モードチャネルをログ記録手段によりログ記録することと、を含み、前記ログ記録することは、前記チャネルが前記１つ以上のネットワークプロバイダのうちのどれに属するのかにかかわらずに行われる；
そして
前記移動局の地理的位置を、前記移動局のホームネットワークプロバイダ以外の１つ以上のネットワークプロバイダに属する１つ以上の無線チャネルを用いて、かつ、前記移動局の地理的位置推定の精度を高めるために信頼の置ける第三者によって提供される、前記移動局のホームネットワークプロバイダ以外のネットワークプロバイダに属する少なくとも１つの識別可能な基地局の地理的位置に基づいて、決定手段により決定することと；
を含む方法。
【請求項２】
前記移動局のホームネットワークプロバイダは、
恒久的に割当てられたホームネットワークプロバイダと一時的に割当てられたローミングネットワークプロバイダとを含むネットワークプロバイダ群から選択されたネットワークプロバイダ、
を含む請求項１に記載の方法。
【請求項３】
前記移動局の全ての無線モードが選択されるまで、前記選択すること及びログ記録することを繰り返すこと、
をさらに含む請求項１に記載の方法。
【請求項４】
前記直前に選択されていない無線モードは、ＡＭＰＳモード、ＦＤＭＡモード、ＴＤＭＡモード、ＧＳＭモード、ＷＣＤＭＡモード、ＨＤＲモードまたはＣＤＭＡモードのうちの１つである請求項１に記載の方法。
【請求項５】
前記移動局の地理的位置を、前記移動局のホームネットワークプロバイダ以外の１つ以上のネットワークプロバイダに属する１つ以上の無線チャネルを用いて前記決定することは、
識別可能な基地局と前記移動局との間の通信を実行できるチャネル上で伝送の伝搬時間を判断すること、
を含む請求項１に記載の方法。
【請求項６】
前記移動局の地理的位置を、前記移動局のホームネットワークプロバイダ以外の１つ以上のネットワークプロバイダに属する１つ以上の無線チャネルを用いて前記決定することは、
少なくとも１つの識別可能な基地局の地理的位置を判断すること、
を含む請求項１に記載の方法。
【請求項７】
前記少なくとも１つの識別可能な基地局の地理的位置を判断することは、
前記移動局のホームネットワークプロバイダから、前記少なくとも１つの識別可能な基地局の前記地理的位置を受信すること、
を含む請求項６に記載の方法。
【請求項８】
前記少なくとも１つの識別可能な基地局の地理的位置を判断することは、
前記少なくとも１つの識別可能な基地局のネットワークプロバイダから、前記少なくとも１つの識別可能な基地局の前記地理的位置を受信すること、
を含む請求項６に記載の方法。
【請求項９】
前記移動局の地理的位置を、前記移動局のホームネットワークプロバイダ以外の１つ以上のネットワークプロバイダに属する１つ以上の無線チャネルを用いて前記決定することは、
前記移動局により識別可能な１つ以上の基地局の識別を位置判断構成要素に送信することと、そして
前記位置判断構成要素から前記移動局の地理的位置を受信することと、
を含む請求項１に記載の方法。
【請求項１０】
前記位置判断構成要素は、信頼の置ける第三者からなる請求項９に記載の方法。
【請求項１１】
前記移動局は、マルチモード無線デバイスを備える請求項１に記載の方法。
【請求項１２】
移動局を位置推定する方法であって、
前記移動局のホームネットワークプロバイダ以外の１つ以上のネットワークプロバイダに属しかつ１つ以上の識別可能な基地局との通信を現在実行できる１つ以上の無線チャネルを、ログ記録手段によりログ記録すること、
を含み、
前記１つ以上の無線チャネルをログ記録することは、
前記移動局の直前に選択されていない無線周波数帯域を選択手段により選択することと；そして
前記１つ以上の識別可能な基地局との通信を実行できる１つ以上の直前に選択されていない無線周波数帯域チャンネルをログ記録手段によりログ記録することと、なお、前記ログ記録することは、前記チャネルが前記１つ以上のネットワークプロバイダのうちのどれに属するのかにかかわらずに行われる；
前記移動局の地理的位置を、前記移動局のホームネットワークプロバイダ以外の１つ以上のネットワークプロバイダに属する１つ以上の無線チャネルを用いて、かつ、前記移動局の地理的位置推定の精度を高めるために信頼の置ける第三者によって提供される、前記移動局のホームネットワークプロバイダ以外のネットワークプロバイダに属する少なくとも１つの識別可能な基地局の地理的位置に基づいて、決定手段により決定することと；
を含む、
方法。
【請求項１３】
前記移動局の全ての無線周波数帯域が選択されるまで、前記選択すること及びログ記録することを繰り返すこと、
をさらに含む請求項１２に記載の方法。
【請求項１４】
前記移動局のホームネットワークプロバイダは、
恒久的に割当てられたホームネットワークプロバイダと一時的に割当てられたローミングネットワークプロバイダとを含むネットワークプロバイダ群から選択されたネットワークプロバイダ、
を含む請求項１２に記載の方法。
【請求項１５】
前記移動局の地理的位置を、前記移動局のホームネットワークプロバイダ以外の１つ以上のネットワークプロバイダに属する１つ以上の無線チャネルを用いて前記決定することは、
識別可能な基地局と前記移動局との間の通信を実行できるチャネル上で伝送の伝搬時間を判断すること、
を含む請求項１２に記載の方法。
【請求項１６】
前記移動局の地理的位置を、前記移動局のホームネットワークプロバイダ以外の１つ以上のネットワークプロバイダに属する１つ以上の無線チャネルを用いて前記決定することは、
少なくとも１つの識別可能な基地局の地理的位置を判断すること、
を含む請求項１２に記載の方法。
【請求項１７】
前記少なくとも１つの識別可能な基地局の地理的位置を判断することは、
前記移動局のホームネットワークプロバイダから、前記少なくとも１つの識別可能な基地局の前記地理的位置を受信すること、
を含む請求項１６に記載の方法。
【請求項１８】
前記少なくとも１つの識別可能な基地局の地理的位置を判断することは、
前記少なくとも１つの識別可能な基地局のネットワークプロバイダから、前記少なくとも１つの識別可能な基地局の前記地理的位置を受信すること、
を含む請求項１６に記載の方法。
【請求項１９】
前記移動局の地理的位置を、前記移動局のホームネットワークプロバイダ以外の１つ以上のネットワークプロバイダに属する１つ以上の無線チャネルを用いて前記決定することは、
前記移動局により識別可能な１つ以上の基地局の識別を位置判断構成要素に送信することと、そして
前記位置判断構成要素から前記移動局の地理的位置を受信することと、
を含む請求項１２に記載の方法。
【請求項２０】
前記位置判断構成要素は、前記信頼の置ける第三者からなる請求項１９に記載の方法。
【請求項２１】
前記移動局は、マルチモード無線デバイスを備える請求項１２に記載の方法。
【請求項２２】
移動局を位置推定する方法であって、
前記移動局の第1の無線モードを選択手段により選択することと；
１つ以上の識別可能な基地局との通信を実行できる１つ以上の第１の無線モードチャネルをログ記録手段によりログ記録することと、
なお前記ログ記録することは、前記第1の無線モードチャネルが１つ以上のネットワークプロバイダのうちのどれに属するかにかかかわらずに行われ、
前記第１の無線モードの直前に選択されていないチャネルを選択手段により選択することと、
基地局の伝送に対して、前記第１の無線モードの前記直前に選択されていないチャネルを能動的または受動的に監視手段により監視することと、
前記第１の無線モードの前記直前に選択されていないチャネルを能動的または受動的に監視することの結果をログ記録手段によりログ記録することと、そして
前記第１の無線モードの全てのチャネルが選択されるまで、前記選択すること、監視すること及びログ記録することを繰り返すことと、を含む；
前記移動局の地理的位置を、前記ログ記録された１つ以上の第１の無線モードチャネルを用いて、かつ、前記移動局の地理的位置推定の精度を高めるために信頼の置ける第三者によって提供される、前記移動局のホームネットワークプロバイダ以外のネットワークプロバイダに属する少なくとも１つの識別可能な基地局の地理的位置に基づいて、決定手段により決定することと；
を含む方法。
【請求項２３】
前記ログ記録された１つ以上の第１の無線モードチャネルを用いて、前記移動局の地理的位置を前記決定することは、
前記ログ記録された１つ以上の第１の無線モードチャネルに少なくとも一部基づいて三角測量演算を実行すること、
を含む請求項２２に記載の方法。
【請求項２４】
前記ログ記録された１つ以上の第１の無線モードチャネルを用いて、前記移動局の地理的位置を前記決定することは、
第１の選択された周波数帯域から得られた第１のチャネル及び第２の選択された周波数帯域から得られた第２のチャネルに少なくとも一部基づいて、三角測量演算を実行すること、
を含む請求項２２に記載の方法。
【請求項２５】
前記ログ記録された１つ以上の第１の無線モードチャネルを用いて、前記移動局の地理的位置を前記決定することは、
直前に選択された周波数帯域から得られた第１のチャネル及び第２のチャネルに少なくとも一部基づいて三角測量演算を実行すること、
を含む請求項２２に記載の方法。
【請求項２６】
前記ログ記録された１つ以上の第１の無線モードチャネルを用いて、前記移動局の地理的位置を前記決定することは、
前記移動局の第２の無線モードを選択することと；
１つ以上の識別可能な基地局との通信を実行できる１つ以上の第２の無線モードチャネルをログ記録することと、なお、前記ログ記録することは、前記第２の無線モードチャネルが１つ以上のネットワークプロバイダのうちのどれに属するのかにかかわらずに行われる；
前記移動局の地理的位置を、前記ログ記録された１つ以上の第２の無線モードチャネルと前記ログ記録された１つ以上の第１の無線モードチャネルとを用いて決定することと；
を含む請求項２２に記載の方法。
【請求項２７】
移動局を位置推定する方法であって、
前記移動局の第1の無線モードを選択手段により選択することと；
１つ以上の識別可能な基地局との通信を実行できる１つ以上の第１の無線モードチャネルをログ記録手段によりログ記録することと、なお前記ログ記録することは、前記第１の無線モードチャネルが１つ以上のネットワークプロバイダのうちのどれに属するのかにかかわらずに行われる；そして
前記移動局の地理的位置を、前記ログ記録された１つ以上の第１の無線モードチャネルを用いて決定手段により決定することと；
を含み、
前記決定することは、
第２の無線モードの直前に選択されていないチャネルを選択手段により選択することと；
基地局の伝送に対して、前記第２の無線モードの前記直前に選択されていないチャネルを能動的または受動的に監視手段により監視することと；
前記第２の無線モードの前記直前に選択されていないチャネルを能動的または受動的に監視することの結果をログ記録手段によりログ記録することと；そして
前記第２の無線モードの全てのチャネルが選択されるまで、前記選択すること、監視すること及びログ記録することを繰り返すことと；
そして
前記移動局の地理的位置を、前記ログ記録された１つ以上の第１のまたは第２の無線モードチャネルを用いて、かつ、前記移動局の地理的位置推定の精度を高めるために信頼の置ける第三者によって提供される、前記移動局のホームネットワークプロバイダ以外のネットワークプロバイダに属する少なくとも１つの識別可能な基地局の地理的位置に基づいて、決定手段により決定することと；
を含む、
方法。
【請求項２８】
前記移動局の地理的位置を、前記ログ記録された１つ以上の第１の無線モードチャネルを用いて前記決定することは、
前記ログ記録された１つ以上の第１の無線モードチャネルに少なくとも一部基づいて三角測量演算を実行すること、
を含む請求項２７に記載の方法。
【請求項２９】
前記移動局の地理的位置を、前記ログ記録された１つ以上の第１の無線モードチャネルを用いて前記決定することは、
第１の選択された周波数帯域から得られた第１のチャネル及び第２の選択された周波数帯域から得られた第２のチャネルに少なくとも一部基づいて、三角測量演算を実行すること、
を含む請求項２７に記載の方法。
【請求項３０】
前記移動局の地理的位置を、前記ログ記録された１つ以上の第１の無線モードチャネルを用いて前記決定することは、
直前に選択された周波数帯域から得られた第１のチャネル及び第２のチャネルに少なくとも一部基づいて三角測量演算を実行すること、
を含む請求項２７に記載の方法。
【請求項３１】
前記移動局の地理的位置を、前記ログ記録された１つ以上の第１の無線モードチャネルを用いて前記決定することは、
前記移動局の第２の無線モードを選択することと；
１つ以上の識別可能な基地局との通信を実行できる１つ以上の第２の無線モードチャネルをログ記録することと、なお、前記ログ記録することは、前記第２の無線モードチャネルが１つ以上のネットワークプロバイダのうちのどれに属するのかにかかわらずに行われる；
前記移動局の地理的位置を、前記ログ記録された１つ以上の第２の無線モードチャネルと前記ログ記録された１つ以上の第１の無線モードチャネルとを用いて決定することと；
を含む請求項２７に記載の方法。
【請求項３２】
移動局を位置推定するシステムであって、
前記移動局の第１の無線モードを選択する手段と；
１つ以上の識別可能な基地局との通信を実行できる１つ以上の第１の無線モードチャネルをログ記録する手段と、
なお、前記ログ記録することは、前記第１の無線モードチャネルが１つ以上のネットワークプロバイダのうちのどれに属するのかにかかわらずに行われ、前記ログ記録する手段は
前記第１の無線モードの直前に選択されていないチャネルを選択する手段と、
基地局の伝送に対して、前記第１の無線モードの前記直前に選択されていないチャネルを能動的または受動的に監視する手段と、
前記第１の無線モードの前記直前に選択されていないチャネルを能動的または受動的に監視する手段の結果をログ記録する手段と、そして
前記第１の無線モードの全てのチャネルが選択されるまで、前記選択する手段、監視する手段及びログ記録する手段を作動させる手段と、を備える；
そして
前記移動局の地理的位置を、前記ログ記録された１つ以上の第１の無線モードチャネルを用いて、かつ、前記移動局の地理的位置推定の精度を高めるために信頼の置ける第三者によって提供される、前記移動局のホームネットワークプロバイダ以外のネットワークプロバイダに属する少なくとも１つの識別可能な基地局の地理的位置に基づいて、決定する手段と；
を備えるシステム。
【請求項３３】
前記１つ以上の識別可能な基地局との通信を実行できる１つ以上の第１の無線モードチャネルをログ記録する手段は、前記ログ記録することが、前記第１の無線モードチャネルが１つ以上のネットワークプロバイダのうちのどれに属するのかにかかわらずに行われ、
前記第１の無線モードの直前に選択されていないチャネルを選択する手段と、
基地局の伝送に対して、前記第１の無線モードの前記直前に選択されていないチャネルを能動的または受動的に監視する手段と、
前記第１の無線モードの前記直前に選択されていないチャネルを能動的または受動的に監視する手段の結果をログ記録する手段と、そして
前記第１の無線モードの全てのチャネルが選択されるまで、前記選択する手段、監視する手段及びログ記録する手段を作動させる手段と、
を備える請求項３２に記載のシステム。
【請求項３４】
前記移動局の地理的位置を、前記ログ記録された１つ以上の第１の無線モードチャネルを用いて決定する手段は、
前記ログ記録された１つ以上の第１の無線モードチャネルに少なくとも一部基づいて三角測量演算を実行する手段を、
備える請求項３２に記載のシステム。
【請求項３５】
移動局を位置推定するシステムであって、
前記移動局の第１の無線モードを選択する手段と；
１つ以上の識別可能な基地局との通信を実行できる１つ以上の第１の無線モードチャネルもログ記録する手段と、なお、前記ログ記録することは、前記第１の無線モードチャネルが１つ以上のネットワークプロバイダのうちのどれに属するのかにかかわらすに行われる；そして
前記移動局の地理的位置を、前記ログ記録された１つ以上の第１の無線モードチャネルを用いて決定する手段と；
を備え、
前記決定する手段は、
前記移動局の第２の無線モードを選択する手段と；
１つ以上の識別可能な基地局との通信を実行できる１つ以上の第２の無線モードチャネルをログ記録する手段と、なお、前記ログ記録することは、前記第２の無線モードチャネルが１つ以上のネットワークプロバイダのうちのどれに属するのかにかかわらずに行われる；
前記移動局の地理的位置を、前記ログ記録された１つ以上の第２の無線モードチャネルと前記ログ記録された１つ以上の第１の無線モードチャネルとを用いて決定する手段と；
前記第２の無線モードの直前に選択されていないチャネルを選択する手段と；
基地局の伝送に対して、前記第２の無線モードの前記直前に選択されていないチャネルを能動的または受動的に監視する手段と；
前記第２の無線モードの前記直前に選択されていないチャネルを能動的または受動的に監視する手段の結果をログ記録する手段と；
前記第２の無線モードの全てのチャネルが選択されるまで、前記選択する手段、監視する手段及びログ記録する手段を作動させる手段と；そして
前記移動局の地理的位置を、前記ログ記録された１つ以上の第１または第２の無線モードチャネルを用いて、かつ、前記移動局の地理的位置推定の精度を高めるために信頼の置ける第三者によって提供される、前記移動局のホームネットワークプロバイダ以外のネットワークプロバイダに属する少なくとも１つの識別可能な基地局の地理的位置に基づいて、決定する手段と；
を備えるシステム。
【請求項３６】
前記１つ以上の識別可能な基地局との通信を実行できる１つ以上の第１の無線モードチャネルをログ記録する手段は、前記ログ記録することが、前記第１の無線モードチャネルが１つ以上のネットワークプロバイダのうちのどれに属するのかにかかわらずに行われ、
前記第１の無線モードの直前に選択されていないチャネルを選択する手段と、
基地局の伝送に対して、前記第１の無線モードの前記直前に選択されていないチャネルを能動的または受動的に監視する手段と、
前記第１の無線モードの前記直前に選択されていないチャネルを能動的または受動的に監視する手段の結果をログ記録する手段と、そして
前記第１の無線モードの全てのチャネルが選択されるまで、前記選択する手段、監視する手段及びログ記録する手段を作動させる手段と、
を備える請求項３５に記載のシステム。
【請求項３７】
前記移動局の地理的位置を、前記ログ記録された１つ以上の第１の無線モードチャネルを用いて決定する手段は、
前記ログ記録された１つ以上の第１の無線モードチャネルに少なくとも一部基づいて三角測量演算を実行する手段を、
備える請求項３５に記載のシステム。
【発明の詳細な説明】
【関連出願】
【０００１】
この出願は、２００２年１０月１日に出願された米国仮出願第６０／４１５，３５８号に対して優先権を主張する。
【技術分野】
【０００２】
本出願は、一般に、無線データ通信システムに関する。
【背景技術】
【０００３】
データは、１つ以上のマシンによる等の形式化された方法での操作および／または処理に適した任意の形態になっている情報である。無線データ通信システムは、データ通信局が、少なくとも１つの無線データ通信リンクを介して（例えば、空気中を介してまたは真空中を介して）データを送信および／または受信するシステムである。
【０００４】
無線データ通信システムの１つの種類は、移動無線データ通信システムである。移動無線データ通信システムにおいては、少なくとも１つのデータ通信局は、移動局である。典型的には、移動無線データ通信システムは、多くの場合、１つ以上の基地局と、１つ以上の移動局とで構成されている。基地局は、地理的に固定され、かつ典型的には、アンテナ、増幅器、受信機及び送信機と、信号を送信及び受信し、高周波（ＲＦ）と音声信号との間で変換する同様のハードウェア及びソフトウェアとで構成されているデータ通信局である。基地局の実例は、該基地局が、その範囲内で、判断力をもって信号を送受信することができる地理的範囲（すなわち、セル）内に現在位置している携帯電話と通信する携帯基地局である。
【０００５】
移動局は、動作中または停止中に、指定されていない場所で使用されることが意図され、かつ典型的には、アンテナ、増幅器、受信機及び送信機と、信号を送信及び受信し、ＲＦ波と音声信号との間で変換する同様のハードウェア及びソフトウェアとで構成されているデータおよび／または音声通信局である。移動局の実例は、ＧＳＭ(global system for mobile communications)デバイス、周波数分割多元接続(frequency division multiple access；ＦＤＭＡ)デバイス、時分割多元接続(time division multiple access；ＴＤＭＡ)デバイス、符号分割多元接続(code division multiple access；ＣＤＭＡ)デバイス、広帯域符号分割多元接続(wideband code division multiple access；ＷＣＤＭＡ)デバイス及びＡＭＰＳ(analog mobile phone system)デバイス等のセルラーデバイスである。
【０００６】
移動無線データ通信システムに対しては、多くの用途がある。１つのそのような用途は、その地理的位置が、分かっているか、または該位置を知ることができる（例えば、その位置は、現在は分かっていないが、その位置を規定の技術によって判断することができる）１つ以上のデータ通信局から収集した情報に基づく、移動局の、それまで分からなかった地理的位置推定の判断である。
【０００７】
当業者は、移動局の地理的位置推定の精度を高める永続する必要性があることを認識するであろう。従って、本開示の主題の１つの態様は、移動局の地理的位置推定の精度を高めることである。
【発明の開示】
【０００８】
[発明の概要]
一実施形態において、移動局の位置を推定する方法は、移動局のホームネットワークプロバイダ以外の１つ以上のネットワークプロバイダに属し、１つ以上の識別可能な(discernable)基地局との通信を実質的に現在可能にする１つ以上の無線チャネルをロギングすること(logging)（すなわちログ記録すること）と、該移動局のホームネットワークプロバイダ以外の１つ以上のネットワークプロバイダに属する１つ以上の無線チャネルによって、該移動局の地理的位置を設定することとにより特徴付けられる。
【０００９】
一実施形態において、移動局の位置を推定する方法は、移動局の第１の無線モードを選択することと、１つ以上の識別可能な基地局との通信を可能にする１つ以上の第１の無線モードチャネルをロギングすることであって、該ロギングが、該第１の無線モードチャネルが属している１つ以上のネットワークプロバイダと無関係であることと、ロギングした１つ以上の第１の無線モードチャネルによって、該移動局の地理的位置を設定することとにより特徴付けられる。
【００１０】
一実施形態において、１つの方法は、そのネットワークプロバイダが、関連するネットワークプロバイダを有する移動局に知られていない基地局の地理的情報に対する要求を受信することと、そのネットワークプロバイダが、該受信に応答して知られていない該基地局の地理的情報を送信することとにより特徴付けられる。
【００１１】
移動局のホームネットワークプロバイダ以外の１つ以上のネットワークプロバイダに属する１つ以上の無線チャネルによって、該移動局の地理的位置を設定する方法であって、前記方法は、一実施形態において、該移動局によって識別可能な１つ以上の基地局の識別を受信することと、該移動局によって識別可能な１つ以上の基地局の１つ以上の地理的位置を検索することと、該１つ以上の基地局の地理的位置によって、該移動局の地理的位置を計算することとにより特徴付けられる。
【００１２】
ホームネットワークプロバイダに関連する移動局の位置を推定する方法であって、前記方法は、一実施形態において、該移動局に関連するホームネットワークプロバイダによって発信された位置情報と、該ホームネットワークプロバイダではない少なくとも１つの他のネットワークプロバイダからの位置情報とを受信することと、該ホームネットワークプロバイダ及び該ホームネットワークプロバイダではない少なくとも１つの他のネットワークプロバイダによって発信された受信位置情報から、地理的位置を判断することとにより特徴付けられる。
【００１３】
１つ以上の様々な実施形態において、関連するシステムは、限定するものではないが、上述した方法の実施形態を実施する回路構成および／またはプログラミングを含み、該回路構成および／またはプログラミングは、実質的には、ハードウェア、ソフトウェア、および／またはシステム設計者の設計選択により、上述した方法の実施形態を実施するように構成されたファームウェアのいずれかの組合せとすることができる。
【００１４】
上記のことは要約であり、従って必要により、単純化、一般化及び細部の省略を含み、従って当業者は、該要約が単に例証であり、多少でも限定しようとするものではないことを認識するであろう。唯一、特許請求の範囲によって定義される、本願明細書に記載したデバイスおよび／またはプロセスの他の態様、発明の特徴及び効果は、本願明細書に記載した非限定的な詳細な説明で明らかになるであろう。
【００１５】
異なる図面における同じ符号の使用は、通常同様のまたは同一の要素を示す。
【発明を実施するための最良の形態】
【００１６】
図１は、本出願の主題の態様を実施することができる環境１００を示す。多数の基地局が描かれており、それらは、３つの異なるネットワークプロバイダＡ、Ｂ及びＣによって支配されかつ維持されるものとして示されており、中央には、移動局１０２が位置している。１つの実施において、移動局１０２は、多帯域無線デバイス（例えば、８００ＭＨｚ帯域及び１９００ＭＨｚ帯域で作動可能な携帯電話）であり、別の実施においては、移動電話１０２は、多モードデバイス（例えば、２つ以上の異なるモード（例えば、ＣＤＭＡ、ＷＣＤＭＡ、ＡＭＰＳ、ＴＤＭＡ、ＦＤＭＡ、ハイデータレート（Ｈｉｇｈ  Ｄａｔａ  Ｒａｔｅ；ＨＤＲ）および／またはＧＳＭネットワーク）で作動することができる携帯電話）である。
【００１７】
実施例の環境１００において、ネットワークプロバイダＡは、ＴＤＭＡタイプのネットワークにおいて、４つの基地局、すなわち、基地局Ｎｏ．Ａ０１、基地局Ｎｏ．Ａ０２、基地局Ｎｏ．Ａ０３及び基地局Ｎｏ．Ａ０４を保持する。ネットワークプロバイダＡにより提供されおよび／または保持される様々な基地局の地理的位置は、知ることができる。本願明細書中で、一実施形態において、「知ることができる」とは、移動局１０２が、実際には、特定のネットワークプロバイダによって提供されるネットワークに対する加入者であり、この場合、特定の基地局の物理的位置情報は、そのネットワークプロバイダにより、直接移動局１０２に提供されることを意味する。別の実施において、「知ることができる」とは、移動局１０２は、移動局１０２が通信している特定のネットワークに対する加入者ではないが、移動局１０２が通信しているネットワークは、その基地局の地勢位置情報を移動局１０２に与える（例えば、ネットワークプロバイダが、様々な加入者間でそのような情報を与えることをあらかじめ同意している場合など）ことを意味する。また別の実施において、「知ることができる」とは、移動局１０２は、移動局１０２が通信している特定のネットワークに対する加入者ではないが、移動局１０２は、該基地局の地理的位置を、信頼の置ける第三者（例えば、該信頼の置ける第三者が、そのような地理的位置情報が要求／提供されている基地局を所有するネットワークプロバイダの識別を明らかにすることなく、基地局ＩＤ、ネットワークタイプ（例えば、ＴＤＭＡ、ＣＤＭＡ、ＷＣＤＭＡ、ＧＳＭ、ＡＭＰｓ、ＨＤＲ等）および／または周波数種別等の情報に応答して、基地局の位置情報を様々な要求者に提供することができるように、あらかじめ、ネットワークプロバイダと契約している会社によって提供される計算構成要素）から得ることができることを意味する。
【００１８】
例示的な環境１００において、ネットワークプロバイダＢは、ＣＤＭＡタイプのネットワークにおいて、２つの基地局、すなわち、基地局Ｎｏ．Ｂ０１及び基地局Ｎｏ．Ｂ０２とを保持する。ネットワークプロバイダＢによって提供されおよび／または保持される様々な基地局の地理的位置は、知ることができる。
【００１９】
例示的な環境１００において、ネットワークプロバイダＣは、ＣＤＭＡタイプのネットワークにおいて、４つの基地局、すなわち、基地局Ｎｏ．Ｃ０１と、基地局Ｎｏ．Ｃ０２と、基地局Ｎｏ．Ｃ０３及び基地局Ｎｏ．Ｃ０４を保持する。ネットワークプロバイダＣによって提供されおよび／または保持される様々な基地局の地理的位置は、知ることができる。
【００２０】
ＣＤＭＡ及びＴＤＭＡタイプのネットワークは、本願明細書において、説明のために示されているが、当業者は、ＧＳＭ、ＦＤＭＡまたはＡＭＰＳタイプのネットワーク等の他の多くのタイプのネットワークを用いることができることを認識するであろう。本出願の主題に関して、移動局１０２が、移動局１０２から基地局１０２までの距離を得ることができるような状態で、該基地局からの送信を受信することができる限り、該ネットワークは、実際にはどのようなタイプとすることもできる。また、携帯電話は、移動体デバイス１０２の一種として議論してきたが、そのような無線デバイス（例えば、無線ＰＤＡ、無線ページャ、及び無線モデムを用いたデータ処理システム）が、基地局からの送信を受信することができる限り、実質的には、どのようなタイプの無線デバイスも、本出願の主題の範囲内で用いることができる。
【００２１】
図２Ａは、図１の環境１００内で個別におよび／またはまとめて実行することができる様々なプロセスの様々な実施を示す高レベルの論理フローチャートを示す。方法ステップ２００は、該プロセスのスタートを示す。ステップ２０１において、１つの実施においては、移動局１０２は、その使用可能なモード、周波数帯域及びチャネルを介して探索して、どのモード、周波数帯域及びチャネルが、現在、少なくとも１つの識別可能な基地局との通信を実行できるかを判断する。本願明細書で用いる場合、「識別可能な基地局」とは、移動局が、該基地局が属するネットワークプロバイダを認識していないか、または知らず、かつ基地局を識別することができる１つ以上の無線チャネルを記録しない場合でも、該移動局が、該基地局からの信号を受信して識別することができることを示す。
【００２２】
ステップ２０２において、移動局１０２は、基地局を識別することができる１つ以上の無線チャネル（例えば、方法ステップ２０１で記録されたチャネル等）を有する、ＣＤＭＡモード、ＧＳＭモード、ＴＤＭＡモード、ＡＭＰＳモード、ＨＤＲモード等の動作のモードを選択する。
【００２３】
ステップ２０３において、移動局１０２は、該選択された動作のモードによって使用される（例えば、ＣＤＭＡ、ＷＣＤＭＡ、ＧＳＭ、ＴＤＭＡ、ＡＭＰＳ、ＨＤＲ等のモードで動作しているときに、移動局１０２によって使用される）周波数帯域を選択する。
【００２４】
ステップ２０４において、移動局１０２は、該選択された周波数帯域内で用いられるチャネル（例えば、ＴＤＭＡまたはＧＳＭタイプのシステムにおける送信／受信チャネル周波数、またはＣＤＭＡタイプのシステムにおけるパイロットチャネル）を選択する。
【００２５】
ステップ２０６において、移動局１０２は、該選択されたチャネルを用い、これは、検知された基地局の物理的位置を判断することを含むことができる。
【００２６】
当業者は、概念を明瞭にするために、特定の物理的構成要素内で／特定の物理的構成要素において行われるものとして、多くの動作を本願明細書に記載しているが、実際には、そのような動作が、集中型または分散型のいずれかの様式で、その他の特定の物理的構成要素において／その他の特定の物理的構成要素内で、一般的に行われることを認識するであろう。例えば、本願明細書における多くの計算動作は、移動局１０２において移動局１０２内で行われるものとして説明されているが、当業者は、ほとんどの実際のシステムにおいては、そのような計算動作が、移動局１０２が通信している（例えば、多くの無線システムで用いられている小型軽量クライアントアプローチ）１つ以上の基地局に常駐しているまたは近傍の計算回路構成および／またはプログラミングを用いて、主に実行されることを認識するであろう。従って、当業者は、本願明細書に記載されている様々な計算および／または動作の物理的位置が、概して単に例示的なものであり、そのような動作を実行するのに用いられる実際の物理的位置、回路構成及びプログラミングが、システム設計者の権限内での設計選択であることを認識するであろう。ゆえに、本出願の主題の観点から、ある物理的デバイスが、本願明細書に記載されたプロセスの少なくとも一部を実行する回路構成を有する場合、事実上、該デバイスは、実際には、様々な物理的デバイスに分散させることができる種々の計算および／または動作の全てを実行するものとしてみることができる。
【００２７】
ステップ２０８において、移動局１０２は、該移動局自体と、上記識別可能な基地局との物理的距離を判断する（通常、該基地局は、上記選択されたチャネルに対して最も強力な周波数を有する）。
【００２８】
ステップ２１０において、移動局１０２は、移動局１０２が、その地理的位置を位置推定するのに十分な情報（例えば、三角測量演算を実行するのに十分な情報）を有しているか否かを判断する。当業者は、移動局１０２が、その地理的位置が、「三角測量」として知られている演算によって分かっている少なくとも３つの基地局からの物理的距離を知っている限り、移動局１０２が、その物理的位置を比較的正確に判断することができることを認識するであろう。１つの実施において、ステップ２１０の判断が、移動局１０２の地理的位置を位置推定するのに十分な情報が知られていないという場合には、上記プロセスはステップ２１２に進み、この場合、移動局１０２は、（例えば、ＴＤＭＡまたはＧＳＭタイプのシステムにおいて異なる周波数チャネルに切り替えること、またはＣＤＭＡタイプのシステムにおいて異なるパイロットチャネルに切り替えることにより）直前に選択したチャネルとは異なるチャネルを選択する。そして、上記プロセスは、その後該プロセスが、本願明細書に記載した様式で進行するステップ２０６に進む。
【００２９】
ステップ２１０の判断が、移動局１０２の地理的位置を位置推定するのに十分な情報（例えば、三角測量が用いられる場合、その地理的座標が分かっている少なくとも３つの基地局からの距離）が分かっているという場合には、上記プロセスは、ステップ２１３に進む。ステップ２１３においては、移動局１０２の地理的位置が判断される（例えば、移動局１０２は、三角測量を用いて、それ自体の位置を計算する）。
【００３０】
ステップ２１４においては、（例えば、移動局１０２が、三角測量を基にしている場合、少なくとも１つ以上の基地局の位置を得ると共に、該少なくとも１つの基地局からの距離を得ることにより）現在の精度レベルを超えて、地理的位置の位置推定の精度を上げるのが好ましいか否かについての判断がなされる。１つの実施において、現在の精度レベルを超える地理的位置の位置推定の精度向上が好ましくないと判断された場合、上記プロセスは、ステップ２１６で終了する。
【００３１】
現在の精度レベルを超える地理的位置の位置推定の精度向上が好ましいと判断された場合には、上記プロセスは、ステップ２１２に進んで、本願明細書に記載された様式で続けられる。
【００３２】
代替の実施においては、ステップ２１０の判断が、移動局１０２の地理的位置を位置推定するのに十分な情報が分かっていないという場合、上記プロセスはステップ２１８に進み、この場合、移動局１０２は、直前に選択されたのとは異なる周波数帯域を選択する。例えば、移動局１０２は、８００ＭＨｚの周波数帯域から１９００ＭＨｚの周波数帯域に切り替えてもよく、１つの実施において、該新しい周波数帯域は、該直前の周波数帯域を所有していた同じネットワークプロバイダによって占有され、別の実施においては、該新しい周波数帯域は、異なるネットワークプロバイダによって占有される。その後、上記プロセスは、ステップ２０４に進んで、本願明細書に記載されているように続けられる。
【００３３】
代替の実施において、ステップ２１４の判断が、現在の精度レベルを超える地理的位置の位置推定の精度向上が好ましいという場合には、上記プロセスはステップ２１８に進む。ステップ２１８において、移動局１０２は、直前に選択されたのとは異なる周波数帯域を選択する。その後、該プロセスは、ステップ２０４に進んで、本願明細書に記載されたような様式で続けられる。
【００３４】
さらなる代替の実施において、ステップ２１０の判断が、移動局１０２の地理的位置を位置推定するのに十分な情報が分かっていないという場合、上記プロセスはステップ２２０に進む。ステップ２２０において、移動局１０２は、ＣＤＭＡ、ＧＳＭ、ＴＤＭＡ、ＡＭＰＳ等の動作のモードを選択し、この場合、該選択されたモードは、直前に選択されたものとは異なる。その後、上記プロセスはステップ２０３に進み、本願明細書に記載されたような様式で続けられる。
【００３５】
さらに代替の実施において、ステップ２１４の判断が、現在の精度レベルを超える地理的位置の位置推定の精度向上が好ましいという場合には、上記プロセスはステップ２２０に進む。ステップ２２０において、移動局１０２は、ＣＤＭＡ、ＧＳＭ、ＴＤＭＡ、ＡＭＰＳ等の動作のモードを選択し、この場合、該選択されたモードは、直前に選択されたものとは異なる。その後、上記プロセスはステップ２０３に進み、本願明細書に記載されたような様式で続けられる。
【００３６】
図２Ｂは、図２Ａの高レベルの論理フローチャートの代替の実施を示す高レベルの論理フローチャートである。１つの例示的な実施において、ステップ２０１は、サブステップ２３０から２３４を含む。ステップ２３０において、移動局１０２は、移動局１０２の直前に選択されなかった無線モードを選択する。ステップ２３２において、移動局１０２は、１つ以上の識別可能な基地局との通信を実行できる、１つ以上の直前に選択されなかった無線モードチャネルを記録し（例えば、移動局１０２が、該基地局のネットワークプロバイダを知らない場合でも、該識別可能な基地局は記録される）、前記ロギングは、該チャネルが属する１つ以上のネットワークプロバイダとは関係なく、また前記ロギングは、能動的なまたは受動的なモニタリングに基づいている（例えば、ＣＤＭＡシステムの場合のように傾聴されるか、または、ＴＤＭＡ／ＧＳＭシステムの場合のように、放送が送出され、かつ基地局に応答するように要求する）。ステップ２３４において、移動局１０２は、選択する追加的なモードがあるか否かを判断する。すなわち、選択ステップ２３０及びロギングステップ２３２は、該移動局の全ての無線モードが選択されるまで繰り返される。上記高レベルの論理フローチャートの代替の実施の残りのステップは、本願明細書に記載したように機能する。
【００３７】
図２Ｃは、図２Ａの高レベルの論理フローチャートの代替の実施を示す高レベルの論理フローチャートである。図示のように、ステップ２０１は、複数のサブステップ２４０から２４４を含む。ステップ２４０において、移動局１０２は、該移動局の直前に選択されていない無線周波数帯域を選択する。ステップ２４２において、移動局１０２は、１つ以上の識別可能な基地局との通信を実行できる１つ以上の直前に選択されなかった無線周波数帯域チャネルを記録する。該ロギングは、該チャネルが属している１つ以上のネットワークプロバイダとは関係なく、また該ロギングは、能動または受動モニタリングのいずれかに基づいている。ステップ２４４において、移動局１０２は、選択する追加的な無線周波数帯域があるか否かを判断する。すなわち、選択ステップ２４０及びロギングステップ２４２は、該移動局の全ての無線周波数帯域が選択されるまで繰り返される。上記高レベルの論理フローチャートの代替の実施の残りのステップは、本願明細書に記載したように機能する。
【００３８】
ステップ２１０のまた別の代替の実施(図示せず)においては、セルラー及びＰＣＳネットワークが、ローミング契約(roaming agreement)を有する異なるネットワークプロバイダによって作動する。このことは、移動局１０２が、一般に、事前記憶された「競合する」システムに関する全ての情報を有していることを意味する。すなわち、この状態において、移動局１０２は、移動局１０２が、上述したような位置標定(position location)機能を実行することを要しなければ、基地局を探索することを試みない場合もある。この特殊なケースにおいて、移動局１０２は、その元々の処理手順を変えて、代替のシステムの探索を実行してもよい。当業者は、代替のシステムに関する情報を、移動局１０２のローカルメモリに格納し、および／またはネットワークによるメッセージングを介して移動局１０２に配信することができ、この場合、位置標定は、標準的なネットワーク操作処理手続きに対して若干の修正を要求することを認識するであろう。当業者は、本願明細書に記載した探索のメカニズムを実際に実施することに関して、異なる方法があることを認識するであろう。例えば、そのような探索メカニズムは、実時間信号処理と共に、新しい周波数に同調することを要する実時間探索とすることができる。あるいは、そのような探索メカニズムは、バッファ探索アプローチ(buffer search approach)であってもよく、この場合、移動局１０２は、新しい周波数に同調して、後処理に対して十分な信号のセグメントを格納する。そして、移動局１０２は、その機能中のチャネルまたはシステムに戻って同調し、格納された信号セグメントのオフライン探索を実行することができる。当業者は、ＣＤＭＡが、上記説明した種類の動作に適していることを認識するであろう。
【００３９】
図２Ｄは、図２Ａに示したプロセスの代替の実施を示す高レベルの論理フローチャートである。図に示すように、ステップ２０６は、複数のサブステップ２５２から２５４を含む。ステップ２５２において、移動局１０２は、上記選択された周波数上の基地局ＩＤを得た後に、該基地局ＩＤ、選択された周波数、および／またはネットワークタイプを、地理的位置データのリポジトリ(repository)として機能する信頼の置ける第三者に送信する。例えば、当業者は、基地局の地理的位置が、一般的には機密扱いされ、ネットワークプロバイダは、一般に、それら基地局の地理的位置を公表することを好まないことを認識するであろう。従って、１つの実施において、信頼の置ける第三者は、様々な基地局の地理的位置を、そのような基地局を所有するネットワークプロバイダを識別することなく配信することができることを保障するために用いられる。該信頼のおける第三者は、多くのネットワークプロバイダの基地局の地理的位置へのアクセスを有するが、様々な基地局の該ネットワークプロバイダに関する機密性を維持するために契約上の義務がある計算／ビジネスエンティティとすることができる。典型的には、移動局１０２は、移動局１０２のホームネットワークを介して該信頼のおける第三者と通信する。
【００４０】
ステップ２５４において、移動局１０２は、上記信頼のおける第三者から基地局の地理的位置を受信する。上記高レベルの論理フローチャートの代替の実施の残りのステップは、本願明細書に記載したように機能する。
【００４１】
別の実施においては、ステップ２５８において、移動局１０２は、基地局の地理的位置を、移動局１０２が通信している基地局から直接得る。この実施は、典型的には、移動局１０２が、そのホームネットワーク（例えば、その恒久的に割当てられたホームネットワークプロバイダまたはその一時的に割当てられたローミングネットワークプロバイダのいずれか）で基地局と通信している場合に用いられる。上記高レベルの論理フローチャートの代替の実施の残りのステップは、本願明細書に記載したように機能する。
【００４２】
図２Ｅは、図２Ａの高レベルの論理フローチャートの代替の実施を示す高レベルの論理フローチャートである。図に示すように、ステップ２１３は、複数のサブステップ２６０を含む。ステップ２６０において、移動局１０２は、それ自体の地理的位置を（例えば、三角測量計算によって）計算する。該高レベルの論理フローチャートの代替の実施の残りのステップは、本願明細書に記載したように機能する。
【００４３】
また、図に示すように、ステップ２１３は、複数のサブステップ２６２から２６６を含む。ステップ２６２において、位置判断構成要素(Position Determination Entity)（例えば、信頼のおける第三者）は、移動局１０２によって識別可能な１つ以上の基地局の識別を受信する。ステップ２６４において、該位置判断構成要素は、移動局１０２によって識別可能な１つ以上の基地局の地理的位置を受信する。ステップ２６６において、該位置判断構成要素は、該１つ以上の基地局の地理的位置を用いて、移動局１０２の地理的位置を計算する。該高レベルの論理フローチャートの代替の実施の残りのステップは、本願明細書に記載したように機能する。
【００４４】
さらに、図に示すように、ステップ２１３は、複数のサブステップ２６２から２６８を含む。ステップ２６８において、上記位置判断構成要素は、上記移動局の計算された地理的位置を（例えば、該移動局自体に戻して、あるいは、基地局におけるまたは基地局の近くの別の計算エンティティへ）送信する。この代替の実施においては、ステップ２６２から２６６は、上述したように機能する。該高レベルの論理フローチャートの代替の実施の残りのステップは、本願明細書に記載したように機能する。
【００４５】
図２Ｆは、図２Ｅの高レベルの論理フローチャートの代替の実施及びそれ自体の実施を示す高レベルの論理フローチャートである。図に示すように、ステップ２６４は、複数のサブステップ２７０から２７４を含む。ステップ２７０において、上記位置判断構成要素（例えば、信頼の置ける第三者または移動局１０２のホームネットワークに常駐する位置判断構成要素）は、そのネットワークプロバイダが知られていない基地局のための基地局識別子または周波数を受信する。ステップ２７２において、該位置判断構成要素は、例えば、移動局１０２が現在通信することができる少なくとも１つの基地局の少なくとも１つの既知の地理的エリア、例えば移動局１０２のホームネットワーク内の基地局の座標を検索することにより、そのネットワークプロバイダが知られていない基地局に最も近い少なくとも１つの地理的エリアを判断する。ステップ２７４において、該位置判断構成要素は、少なくとも１つの判断された地理的エリア、及びそのネットワークプロバイダが知られていない基地局の基地局識別子および／または周波数を用いて、そのネットワークプロバイダが知られていない基地局の地理的位置を検索する。上記高レベルの論理フローチャートの代替の実施の残りのステップは、本願明細書に記載したように機能する。
【００４６】
図に示すように、また別の実施において、ステップ２１３は、複数のサブステップ２７０から２７６を含む。上記位置判断構成要素は、（例えば、上記信頼の置ける第三者コンセプトに関して本願明細書に記載したように）そのネットワークプロバイダが知られていない基地局に関連するネットワークプロバイダを識別することなく、そのネットワークプロバイダが知られていない基地局の地理的情報を送信する。この代替において、ステップ２７０から２７４は、上述したように機能する。上記高レベルの論理フローチャートの代替の実施の残りのステップは、本願明細書に記載したように機能する。
【００４７】
図２Ａから図２Ｆを参照して分かるように、図２Ａから図２Ｆの高レベルの論理フローチャートを流れる多数の異なる代替可能な経路がある。下記のものは、いかに様々な経路を、図示の例示的な環境１００のコンテキスト内で用いることができるかを示すいくつかの実施例である。
【００４８】
図３Ａから図３Ｂは、環境１００において、図２Ａから図２Ｆの上述したステップのうちのいくつかを実行する移動局１０２を示す。説明のため、移動局１０２は、現在の動作モードとしてＴＤＭＡを選択している（例えば、図２Ａに示す方法のステップ２０２における場合のように、ＴＤＭＡまたはＧＳＭモードを選択している）マルチモードでマルチバンドの無線電話であると仮定する。また、移動局１０２は、第１の周波数帯域を選択しており（例えば、図２Ａに示す方法のステップ２０３における場合のように、第１の周波数帯域を選択しており）、これは、ネットワークプロバイダＡのＴＤＭＡネットワークに属し、ネットワークプロバイダＡの基地局Ａ０１及びＡ０４が作動している周波数帯域となる場合もある。（ネットワークプロバイダＡの基地局Ａ０２及びＡ０３は、点線で示すように、異なる周波数帯域で作動しており、そのため、現在は、移動局１０２により見ることはできず、それらは、移動局１０２の範囲内にあるが、移動局１０２は、基地局Ａ０２及びＡ０３が作動している対応する周波数帯域に切り替えるべきである。）
さらに、移動局１０２は、第１の選択した周波数帯域内の第１の周波数を選択している（例えば、図２Ａのステップ２０４における場合のような第１のチャネルを選択している）。図３Ａに示すように、移動局１０２は、当業者に知られている多数の方法のうちのいずれかによって（例えば、基地局Ｎｏ．Ａ０１をピンギングすることにより）、ネットワークプロバイダＡの基地局Ｎｏ．Ａ０１と移動局１０２自体との間の無線伝送に対する第１の伝搬時間ｔ１を決めるために、該第１の選択された周波数を用いる。当業者は、一旦、該伝搬時間ｔ１が分かれば、該基地局からの移動局１０２の距離を、電波伝搬の速度（例えば、空気中の光の速度）を用いて計算することができることを認識するであろう。また、移動局１０２は、ネットワークプロバイダＡの基地局Ａ０１の地理的位置ＬＡ０１（例えば、経度及び緯度等の地理的座標）を判断し、該位置は、いくつかの実施において、ネットワークプロバイダＡから直接受信し、また他の実施においては、本願明細書に記載したように、信頼のおける第三者から受信する。
【００４９】
移動局１０２が第１の伝搬時間ｔ１（すなわち、ネットワークプロバイダＡの基地局Ａ０１からの距離）と、ネットワークプロバイダの基地局Ａ０１の位置ＬＡ０１とを判断した後、移動局１０２は、（例えば、図２Ａの方法のステップ２１２における場合のように）上記第１の選択された周波数帯域における第２のチャネルを選択する。該第１の選択された周波数帯域における第２の選択された周波数を用いて、移動局１０２は、当業者に知られている多数の方法のうちのいずれかによって（例えば、基地局Ｎｏ．Ａ０４をピンギングすることにより）、ネットワークプロバイダＡの基地局Ｎｏ．Ａ０４と移動局１０２自体との間の無線伝送に対する第２の伝搬時間ｔ２を決める。また、移動局１０２は、ネットワークプロバイダＡの基地局Ａ０４の地理的位置ＬＡ０４（例えば、経度及び緯度等の地理的座標）を判断し、該位置は、いくつかの実施において、ネットワークプロバイダＡから直接受信し、また他の実施においては、本願明細書に記載したように、信頼の置ける第三者から受信する。
【００５０】
この時点で、移動局１０２は、それ自体から２つの既知の地理的位置（例えば、基地局Ａ０１及びＡ０４の地理的位置）が分かっていることに注意する。従って、移動局１０２が、三角測量を用いて、その地理的位置を判断すると仮定すると、移動局１０２は、まだ、その地理的位置を位置推定するのに十分な情報を有していない（例えば、移動局１０２が、その地理的位置を位置推定するのに十分な情報を有しているかというステップ２１０の判断は、否定的な答えとなる）。
【００５１】
図２Ａの参照によって分かるように、いくつかの実施において、第３のチャネルが、上記第１の選択された周波数帯域で使用可能であり、移動局１０２は、該第３の選択されたチャネルを選択して該チャネルによって処理することが可能である。しかし、説明のため、移動局１０２がｔ２（すなわち、ネットワークプロバイダＡの基地局Ａ０４からの距離）及びネットワークプロバイダの基地局Ａ０４の位置ＬＡ０４を判断した後、移動局１０２は、該第３のチャネルが、上記第１の選択された周波数帯域内で使用できないことを判断すると仮定する。従って、上記プロセスは、必要に応じて、新しい周波数帯域または新しいモードを選択することができる。
【００５２】
説明のため、移動局１０２は、その地理的位置を位置推定するのに必要な追加的な情報を得ようと試みるために、（例えば、図２Ａのステップ２１８に示すように）新しい周波数帯域に切り替えることを選ぶ。そのような動作の実施例を図３Ｂに示す。
【００５３】
図３Ｂは、（例えば、ステップ２１６における場合のように）第２の周波数帯域を選択する移動局１０２を示し、これは、ネットワークプロバイダＡのＴＤＭＡネットワークに属し、ネットワークプロバイダＡの基地局Ａ０２及びＡ０３が作動している周波数帯域となる場合もある。（ネットワークプロバイダＡの基地局Ａ０１及びＡ０４が、上記第１の選択された周波数帯域で作動しており、そのため、該基地局が移動局１０２の範囲内にあるが、現在は、移動局１０２により見ることはできないということに注意する。）移動局１０２は、（例えば、ステップ２１８の実行後にステップ２０４が続く場合のステップ２０４における場合のように）上記第２の選択された周波数帯域内で第１の周波数を選択する。移動局１０２は、当業者に知られている多数の方法のうちのいずれかによって（例えば、基地局Ｎｏ．Ａ０３をピンギングすることにより）、ネットワークプロバイダＡの基地局Ｎｏ．Ａ０３と移動局１０２自体との間の無線伝送に対する第３の伝搬時間ｔ３を決める。当業者は、一旦、該伝搬時間が分かれば、該基地局からの移動局１０２の距離を計算することができることを認識するであろう。また、移動局１０２は、ネットワークプロバイダＡの基地局Ａ０３の地理的位置ＬＡ０３（例えば、地理的座標）を判断し、該位置は、いくつかの実施において、ネットワークプロバイダＡから直接受信し、また他の実施においては、本願明細書に記載したように、信頼の置ける第三者から受信する。
【００５４】
従って、移動局１０２は、それ自体から３つの既知の地理的位置（例えば、基地局Ａ０１、Ａ０３及びＡ０４の地理的位置）までの距離を知る。その結果として、移動局１０２が、三角測量を用いてその地理的位置を判断すると仮定すると、移動局１０２は、この時、その地理的位置を位置推定するのに十分な情報を有している（例えば、移動局１０２が、その地理的位置を位置推定するのに十分な情報を有しているかというステップ２１０の判断は、肯定的な答えとなる）。
【００５５】
移動局１０２が、ｔ３（すなわち、ネットワークプロバイダＡの基地局Ａ０３からの距離）と、ネットワークプロバイダの基地局Ａ０３の位置ＬＡ０３とを判断した後、移動局１０２は、三角測量によって、その地理的位置を位置推定するのに十分な情報を有する（例えば、方法ステップ２１０の照会は、肯定的な答えとなる）。移動局１０２は、三角測量で測量するのに十分な情報を有していても、移動局１０２は、第２のチャネルが、上記第１の選択された周波数帯域内で使用可能であることを判断し、上記第２の選択された周波数帯域内で第２の周波数を選択する（例えば、精度を上げることが好ましいかというステップ２１４の判断が、肯定的な答えとなる場合、および上記プロセスが、ステップ２１８の実行に進んだ場合が発生する場合）。
【００５６】
移動局１０２は、上記第２の選択された周波数帯域内の第２の選択された周波数を用いて、当業者に知られている多数の方法のうちのいずれかによって（例えば、基地局Ｎｏ．Ａ０２をピンギングすることにより）、ネットワークプロバイダＡの基地局Ｎｏ．Ａ０２と移動局１０２自体との間の無線伝送に対する第４の伝搬時間ｔ４を決める。また、移動局１０２は、ネットワークプロバイダＡの基地局Ａ０２の地理的位置ＬＡ０２（例えば、地理的座標）を判断し、該位置は、いくつかの実施において、ネットワークプロバイダＡから直接受信し、また他の実施においては、本願明細書に記載したように、信頼の置ける第三者から受信する。
【００５７】
図２Ａにおいて上述したように、図２Ａの高レベルの論理フローチャートを流れる様々な経路においては、移動局１０２が、他の動作モードに切り替わった後、該他のモードで、その（移動局１０２の）地理的位置を位置推定することが可能である。上記の例示的な動作を、図４Ａから図４Ｂに示し、以下に説明し、これは、図３Ａから図３Ｂに記載した実施例を確立するように続く。
【００５８】
図４Ａは、ＣＤＭＡを、その現在の動作モードとして選択した（例えば、ＣＤＭＡモードを、図２Ａのステップ２０２で選択した）移動局１０２（説明のため、マルチモード、マルチバンドの携帯電話と仮定する）を示す。また、移動局１０２は、ネットワークプロバイダＢに属している第１の周波数帯域を選択しており（例えば、ステップ２０３で、第１の周波数帯域を選択しており）、これは、ネットワークプロバイダＢのＣＤＭＡネットワークに属し、ネットワークプロバイダＢの基地局Ｂ０１及びＢ０２が作動している周波数帯域となる場合もある。ネットワークプロバイダＣの基地局Ｃ０１からＣ０４は、点線を用いて示すように、異なる周波数帯域で作動しており、そのため、現在は、移動局１０２により見ることはできず、それらは、移動局１０２の範囲内にあるが、移動局１０２を、それらのＣＤＭＡ周波数帯域に同調させるべきである。
【００５９】
移動局１０２は、上記第１の選択された周波数帯域内で第１のパイロットチャネルを選択する（例えば、ステップ２０４において、第１のチャネルを選択する）。移動局１０２は、該第１の選択されたパイロットチャネルを用いて、当業者に知られている多数の方法のうちのいずれかによって（例えば、他の既知の／受信したパイロットチャネル（図示せず）に対する該受信したパイロットチャネルのチップオフセットを判断することにより）、ネットワークプロバイダＢの基地局Ｎｏ．Ｂ０１とそれ自体（移動局１０２）との間の無線伝送に対する第５の伝搬時間ｔ５を決める。当業者は、一旦、伝搬時間ｔ５が分かると、該基地局からの移動局１０２の距離を計算することができることを認識するであろう。また、移動局１０２は、ネットワークプロバイダＢの基地局Ｂ０１の地理的位置ＬＢ０１（例えば、経度及び緯度等の地理的座標）を判断し、該位置は、いくつかの実施において、ネットワークプロバイダＢから直接受信し、また他の実施においては、本願明細書に記載したように、信頼の置ける第三者から受信する。
【００６０】
移動局１０２が、伝搬時間ｔ５（すなわち、ネットワークプロバイダＢの基地局Ｂ０１からの距離）及びネットワークプロバイダＢの基地局Ｂ０１の位置ＬＢ０１を判断した後、移動局１０２は、（例えば、ステップ２１２のように）ネットワークプロバイダＢに属する上記第１の選択された周波数帯域内で第２のパイロットチャネルを選択する。移動局１０２は、該第２の選択されたパイロットチャネルを用いて、当業者に知られている多数の方法のうちのいずれかによって（例えば、他の既知の／受信したパイロットチャネルに対する該受信したパイロットチャネルのチップオフセットを判断することにより）、ネットワークプロバイダＢの基地局Ｎｏ．Ｂ０２とそれ自体（移動局１０２）との間の無線伝送に対する第６の伝搬時間ｔ６を決める。また、移動局１０２は、ネットワークプロバイダＢの基地局Ｂ０２の地理的位置ＬＢ０２（例えば、経度及び緯度等の地理的座標）を判断し、該位置は、いくつかの実施において、ネットワークプロバイダＢから直接受信し、また他の実施においては、本願明細書に記載したように、信頼の置ける第三者から受信する。
【００６１】
この時点で、移動局１０２には、それ自体から６つの既知の地理的位置までの距離（例えば、図３Ａから図３Ｂに関して説明したように、基地局Ａ０１、Ａ０２、Ａ０３及びＡ０４の地理的位置からの距離、および図３Ａに関して説明したように、基地局Ｂ０１及びＢ０２の地理的位置からの距離）が分かっている。従って、移動局１０２が、三角測量を用いて、その地理的位置を判断すると仮定すると、移動局１０２は、その地理的位置を位置推定するのに十分な情報を有している（例えば、移動局１０２が、その地理的位置を位置推定するのに十分な情報を有しているかというステップ２１０に示された照会は、肯定的な答えとなる）。
【００６２】
図４Ｂは、移動局１０２が、ｔ６（すなわち、ネットワークプロバイダＢの基地局Ｂ０２からの距離）及びネットワークプロバイダの基地局Ｂ０２の位置ＬＢ０２を判断した後、移動局１０２が、三角測量によって、その地理的位置を位置推定するのに十分な情報を有している（例えば、ステップ２１０の照会が、肯定的な答えとなる）ことを示す。移動局１０２が、三角測量で測量するのに十分な情報を有していても、まだ上記選択されたＣＤＭＡのモードになっている移動局１０２は、さらなる位置推定精度が好ましいかを判断する。すなわち、移動局１０２は、ネットワークプロバイダＣに属する第２のＣＤＭＡ周波数帯域を選択し（例えば、精度を上げることが好ましいかというステップ２１４における照会が肯定的な答えとなる場合、および上記プロセスが、ステップ２１８の実行に進んだ場合が発生する場合）、これは、ネットワークプロバイダＣのＣＤＭＡネットワークに属し、ネットワークプロバイダの基地局Ｃ０１、Ｃ０２、Ｃ０３及びＣ０４が作動している周波数帯域となる場合もある。ネットワークプロバイダＢの基地局Ｂ０１及びＢ０２は、点線で示すように、異なる周波数帯域で作動しており、そのため、現在は、移動局１０２により見ることはできず、それらは、移動局１０２の範囲内にあるが、移動局１０２を、それらの周波数帯域に同調させるべきである。
【００６３】
移動局１０２は、上記第２の選択された周波数帯域内で第１のパイロットチャネルを選択する（例えば、ステップ２０４が、ステップ２１８の後に続く場合、ステップ２０４において第１のチャネルを選択する）。移動局１０２は、該第１の選択されたパイロットチャネルを用いて、当業者に知られている多数の方法のうちのいずれかによって（例えば、他の既知の／受信したパイロットチャネルに対する該受信したパイロットチャネルのチップオフセットを判断することにより）、ネットワークプロバイダＣの基地局Ｎｏ．Ｃ０１と移動局１０２自体との間の無線伝送に対する第７の伝搬時間ｔ７を決める。当業者は、一旦、伝搬時間ｔ７が分かれば、該基地局からの移動局１０２の距離を計算することができることを認識するであろう。また、移動局１０２は、ネットワークプロバイダＣの基地局Ｃ０１の地理的位置ＬＣ０１（例えば、経度及び緯度等の地理的座標）を判断し、該位置は、いくつかの実施において、ネットワークプロバイダＣから直接受信し、また他の実施においては、本願明細書に記載したように、信頼の置ける第三者から受信する。
【００６４】
移動局１０２が、ｔ７（すなわち、ネットワークプロバイダＣの基地局Ｃ０１からの距離）及びネットワークプロバイダＣの基地局Ｃ０１の位置ＬＣ０１を判断した後、移動局１０２は、（例えば、ステップ２１２のように）本願明細書の他の箇所で説明したのと同様の方法を用いて、ネットワークプロバイダＣに属する上記第２の選択された周波数帯域内で第２の、第３の、及び第４のパイロットチャネルを実質的に選択する。それぞれ、上記第２の選択された周波数帯域内の第２の、第３の、及び第４の選択されたパイロットチャネルを用いて、移動局１０２は、当業者に知られている多数の方法のうちのいずれかによって（例えば、他の既知の／受信したパイロットチャネルに対する該受信したパイロットチャネルのチップオフセットを判断することにより）、ネットワークプロバイダＣの基地局Ｎｏ．Ｃ０４、Ｃ０３及びＣ０２と、移動局１０２自体との間の無線伝送に対する第８、第９及び第１０の伝搬時間ｔ８、ｔ９及びｔ１０を決める。また、移動局１０２は、それぞれ、ネットワークプロバイダＢの基地局Ｂ０２の地理的位置ＬＣ０４、ＬＣ０３及びＬＣ０２（例えば、経度及び緯度等の地理的座標）を判断し、該位置は、いくつかの実施において、ネットワークプロバイダＢから直接受信し、また他の実施においては、本願明細書に記載したように、信頼の置ける第三者から受信する。その後、現在使用可能な精度を超える精度が好ましいかというステップ２１５の判断が否定的に答えられ、かつ図３Ａから図４Ｂに示す実施例が終了すると仮定してもよい。
【００６５】
発明者等は、本願明細書に記載したプロセス及びデバイスが、いくつかの恩恵をもたらすことを指摘し、そのうちのいくつかを以下に列挙する。１つの恩恵は、本願明細書に記載したスキームの確信によりもたらされる、他のＣＤＭＡ周波数に切り替える能力及び基地局を探索する能力から得られ、該能力は、従来、遠近問題(near-far problem)として知られていることの原因を軽減する場合がある。他の恩恵は、本願明細書に記載したスキームの確信によりもたらされる、予め選択された周波数帯域内で、別の周波数に切り替える能力及び基地局を探索する能力から得られ、該能力は、特に、異なる周波数が長い距離を伝搬する場合に、実質的に互いに無関係にフェージングする傾向があるという事実に関連する問題の場合、フェージングに関連する問題を軽減することにつながる場合がある。別の恩恵は、本願明細書に記載したスキームの確信によりもたらされる、予め選択された無線モードの範囲内で、別の周波数に切り替える能力及び基地局を探索する能力から得られ、該能力は、フェージングに関連する問題を軽減することにつながる場合がある。他の恩恵は、ＧＰＳを用いて、移動局を探し出すのを補助するハイブリッドシステムにおいては、（例えば、多くの建物内では）ＧＰＳ信号が何度も受信不能になり、すなわち、現在のスキームを、使用可能な基地局を用いて精度を改善するため、本願明細書に記載した該現在のスキームは、ハイブリッドシステムを補助することができるという事実から得られ、該ハイブリッドシステムは、基地局に加えてＧＰＳを利用し、ＧＰＳ信号が使用可能でない場合でも、ＧＰＳに関連する精度に近づける。
【００６６】
上記のことに加えて、発明者等は、上記のポイントを繰り返しておきたい。すなわち、上記移動局自体は、何度も位置標定をしないが、そのような位置標定は、むしろ、基地局内または基地局近傍にある、または、基地局とのインタフェースをとるコンピュータネットワーク内にある計算構成要素内で行われる。例えば、位置標定に最も関心のある者は、ほとんどの場合、９１１緊急救助システムと関連する。具体的には、新たな規制は、ネットワークプロバイダが、移動局から該９１１システムへの呼を経路選定する前に、該ネットワークプロバイダが、そのような呼を経路選定する前に、該移動局の位置を位置推定し、かつ該呼が後にルーティングされたときに、該９１１システムに該位置標定を提供しなければならないことを要求している。従って、ある場合において、位置標定演算は、本願明細書においては単純化のため、該移動局によって実行されるものとして説明されているが、当業者は、ほとんどの用途において、該位置標定計算が、該移動局以外の物理的デバイス内にある計算構成要素内で、少なくとも部分的に実行されることを認識するであろう。上述したように、本出願の主題の観点から、ある物理的デバイスが、本願明細書に記載したプロセスの少なくとも一部を実行する回路構成を有する場合、様々な計算が実際に物理的に行われる場所は、システム設計者のデザイン選択であるため、該デバイスは、事実上、種々の物理的デバイスに分散させてもよい様々な計算および／または演算の全てを実行するものとみることができる。
【００６７】
発明者等は、本願明細書中の実施例が、３つの測定値の三角測量を用いた位置標定について議論し、また、図示のある実施例が、３箇所以上を用いた三角測量の精度を上げることが認められることを指摘する。従って、当業者は、本願明細書で用いられている「三角測量」という用語が、３つの測定値以外を用いる位置標定方法の例証となることを認めるであろう。また、三角測量の実施例を、説明のために本願明細書で議論したが、当業者は、可能な限り多くの測定値を利用し、重み付け計算を用いて該位置標定を得る方法等のより複雑な位置標定方法があることを認めるであろう。従って、当業者は、本願明細書で用いたような三角測量が、当業者に知られている位置標定の他のより複雑な方法の具体例であることを認識するであろう。そして、発明者等は、位置標定法の精度を、当業者に知られている多くの他の方法によって決めることができることを指摘する。
【００６８】
当業者は、本願明細書に記載したスキームを、本願明細書に記載したものと同様の無線通信システムを構成する多くの異なるデバイスに用いることができることを認めるであろう。例えば、本願明細書に記載したスキームは、無線電話（例えば、ＴＤＭＡ、ＣＤＭＡまたは他のタイプの携帯電話）、無線モデム、無線ページャ及び無線基地局装置等の無線通信システムを特徴付けることにつながる１つ以上の無線通信デバイスに有用であることを証明するであろう。本願明細書に記載したスキームをそのようなデバイスに組み込むことは、本願明細書の教示に照らして、当業者の能力の範囲内での通常量の実験によって実行することができる。
【００６９】
当業者は、システムの態様のハードウェア実施とソフトウェア実施の間には、わずかな違いがある、すなわち、ハードウェアまたはソフトウェアの使用が、一般に、（常にではないが、ある状況において、ハードウェア、ソフトウェアの選択が重要になる可能性があるという点において）コスト対効率のトレードオフを意味する設計上の選択であるという点に関して、状況が進展していることを認めるであろう。当業者は、それによって、本願明細書に記載したプロセスおよび／またはシステムの態様を実施することができる様々な手段（例えば、ハードウェア、ソフトウェアおよび／またはファームウェア）があり、好適な手段が、該プロセスおよび／システムが展開される状況によって変化することを認識するであろう。例えば、実施者が、速度及び精度が最優先事項であることを判断する場合、該実施者が、ハードウェアおよび／またはファームウェア手段を選択してもよく、別法として、柔軟性が最優先事項である場合には、該実施者は、単に、ソフトウェアでの実施を選んでもよく、または、さらに別法として、該実施者は、ハードウェア、ソフトウェアおよび／またはファームウェアのうちのある組合せを選んでもよい。すなわち、それにより、本願明細書に記載したプロセスの態様を実施することができるいくつかの可能な手段があり、用いるべきどのような手段も、いずれも変化する可能性がある、該手段が展開される状況、及び該実施者の特定の関心事（例えば、速度、柔軟性または予測性）に依存する選択であるという点で、他より本質的に優れているものはない。
【００７０】
上記の詳細な説明は、ブロック図、フローチャート及び実施例の利用によって、デバイスおよび／またはプロセスの様々な実施を記載した。そのようなブロック図、フローチャート及び実施例が、１つ以上の機能および／または動作を含む限り、当業者は、そのようなブロック図、フローチャート及び実施例の範囲内で各機能および／または動作を、広範囲のハードウェア、ソフトウェア、ファームウェアまたは実質的にそれらのうちのいずれかの組合せによって、個別におよび／またはまとめて実施することができることを理解するであろう。一実施形態において、開示した主題は、ＡＳＩＣ（特定用途向けＩＣ）によって実施してもよい。しかし、当業者は、本願明細書に開示した実施が、全てまたは一部、一般的な集積回路に、１つ以上のコンピュータ上で作動する１つ以上のコンピュータプログラムとして（例えば、１つ以上のコンピュータシステム上で作動する１つ以上のプログラムとして）、１つ以上のコントローラ（例えば、マイクロコントローラ）上で作動する１つ以上のプログラムとして、１つ以上のプロセッサ（例えば、マイクロプロセッサ）上で作動する１つ以上のプログラムとして、ファームウェアとして、あるいは、実質的にそれらのいずれかの組合せとして等価的に実施できること、および回路構成を設計することおよび／またはソフトウェアおよびまたはファームウェアに対してコードを書き込むことが、この開示に照らして、当業者の１つのスキルの範囲内であることを認めるであろう。また、当業者は、開示した主題のメカニズムを、様々な形態で、プログラムプロダクトとして配置することが可能であること、および該開示した主題の例示的な実施形態を、該配置を実際に実行するのに用いる特定の種類の信号保持媒体に関係なく、等しく適用できることを認識するであろう。信号保持媒体の実例は、限定するものではないが、次のもの、すなわち、フロッピー（登録商標）ディスク、ハードディスク、ＣＤ−ＲＯＭ、ディジタルテープ及びコンピュータメモリ等の記録可能なタイプの媒体、およびＴＤＭまたはＩＰに基づく通信リンク（例えば、パケットリンク）を用いたディジタル及びアナログ通信リンク等の伝送タイプの媒体を含む。
【００７１】
上記記載した実施形態は、異なる他の構成要素内に含まれる、あるいは、異なる他の構成要素と接続された異なる構成要素を示す。該示したアーキテクチャは単に例示的なものであり、および実際には、同じ機能性を実現する多くの他のアーキテクチャを実施することができることを理解すべきである。概念上の意味において、同様の機能性を実現する構成要素のどのような構成も、所望の機能性が実現されるように、有効に結合される。すなわち、特定の機能性を実現するために結合された、本願明細書中のいかなる２つの構成要素も、アーキテクチャまたは中間の構成要素と関係なく、所望の機能性が実現されるように、互いに結合されているとみることができる。同様に、そのように結合されたいかなる２つの構成要素も、所望の機能性を実現するように、互いに操作可能に接続され、または操作可能に結合されているとみることができる。
【００７２】
上記開示した主題の特定の実施を示しかつ説明してきたが、当業者は、本願明細書の教示に基づいて、該開示した主題及びそのより広い態様を逸脱することなく、変形例及び変更例を実行することができ、従って、添付クレームが、その範囲内に、そのような全ての変形例及び変更例を、この開示した主題の真の趣旨及び範囲内にあるものとして包含すべきであることを認めるであろう。
【００７３】
この方法に良好に用いることができる他の特別な場合のシステムは、提案されたＨＤＲネットワークである。１ｘ−ＥＶ規格が進化した場合、ＩＳ２０００−１ｘとＨＤＲネットワークが共存すること、および移動局が、サービス種別により、両ネットワークをうまく利用することは明白である。該移動局は、データに対してはＨＤＲを利用し、音声に対しては１ｘシステムを利用するであろう。この場合、機能性は、同じ場所に配置された、または同じ場所に配置されていない両システムを探索しかつ監視するなんらかのものをすでに含んでいる。そのため、ＨＤＲは、（使用可能な場合）位置標定を改善する提案された方法に対して当然の選択である。
【００７４】
さらに、本発明が、添付クレームによって唯一定義されることを理解すべきである。当業者は、一般に、本願明細書、特に添付クレーム（該添付クレームの主要部）で用いられる用語が、未決事項として概して意図されている（例えば、「含んでいる」という用語は、「含んでいるが、限定するものではない」と解釈すべきであり、「有する」という用語は、「少なくとも有する」と解釈すべきであり、「含む」という用語は、「含むが、限定するものではない」と解釈すべきである等）。さらに、当業者は、特定数の導入クレームの列挙が意図されている場合、そのような意図が、該クレームに明確に列挙され、そのような列挙がない場合、そのような意図もないことを理解するであろう。例えば、理解に対する補助として、後述の添付クレームは、クレームの前提部分を導くために、「少なくとも１つの」及び「１つ以上の」という導入句の使用を含んでもよい。しかし、そのような句の使用は、同様のクレームが、「１つ以上の」または「少なくとも１つの」という導入句、及び「１つの（ａ）」または「１つの（ａｎ）」等の不定冠詞を含む場合でも（例えば、「１つの（ａ）」および／または「１つの（ａｎ）」は、一般に、「少なくとも１つの」または「１つ以上の」を意味すると解釈すべきである）、不定冠詞「ａ」や「ａｎ」によるクレーム前提部分の導入が、ただ１つのそのような前提部分を含む発明に対して、そのような導入クレームの列挙を含むいかなる特定のクレームも限定することを意味するように解釈すべきではなく、同様のことは、クレームの列挙を導入するのに用いられる定冠詞の使用に対してもあてはまる。また、特定数の導入クレームの列挙が、明確に列挙されている場合でも、当業者は、そのような列挙は、一般に、少なくとも列挙された数を意味するように解釈すべきであることを認めるであろう（例えば、他の修飾成句がない「２つの列挙」のない列挙は、一般に、少なくとも２つの列挙、あるいは、２つ以上の列挙を意味する）。
【図面の簡単な説明】
【００７５】
【図１】本出願の主題の態様を実施することができる環境の概略図である。
【図２Ａ】図１の環境において個別におよび／またはまとめて実行することができる種々のプロセスの様々な実施を示す高レベルの論理フローチャートである。
【図２Ｂ】図２Ａの高レベルの論理フローチャートの代替の実施を示す高レベルの論理フローチャートである。
【図２Ｃ】図２Ａの高レベルの論理フローチャートの代替の実施を示す高レベルの論理フローチャートである。
【図２Ｄ】図２Ａに示すプロセスの代替の実施を示す高レベルの論理フローチャートである。
【図２Ｅ】図２Ａの高レベルの論理フローチャートの代替の実施を示す高レベルの論理フローチャートである。
【図２Ｆ】図２Ｅの高レベルの論理フローチャートの代替の実施及びそれ自体の実施を示す高レベルの論理フローチャートである。
【図３Ａ】１つの環境において、図２Ａから図２Ｆの上述した方法ステップのうちのいくつかを実行する移動局の実施例を示す概略図である。
【図３Ｂ】１つの環境において、図２Ａから図２Ｆの上述した方法ステップのうちのいくつかを実行する移動局の実施例を示す概略図である。
【図４Ａ】１つの環境において、図２Ａから図２Ｆの上述した方法ステップのうちのいくつかを実行する移動局の実施例を示す概略図である。
【図４Ｂ】１つの環境において、図２Ａから図２Ｆの上述した方法ステップのうちのいくつかを実行する移動局の実施例を示す概略図である。
【符号の説明】
【００７６】
１００…環境、１０２…移動局
【図１】
0004448088.tif 000002
【図２Ａ】
0004448088.tif 000003
【図２Ｂ】
0004448088.tif 000004
【図２Ｃ】
0004448088.tif 000005
【図２Ｄ】
0004448088.tif 000006
【図２Ｅ】
0004448088.tif 000007
【図２Ｆ】
0004448088.tif 000008
【図３Ａ】
0004448088.tif 000009
【図３Ｂ】
0004448088.tif 000010
【図４Ａ】
0004448088.tif 000011
【図４Ｂ】
0004448088.tif 000012